(57)【要約】【課題】  十分な防振クリアランスを確保した上でプレイ中のディスクの損傷を防止することができる「車載用ディスクプレーヤのディスク搬送機構」を提供すること。【解決手段】  シャーシ１の前面側にノーズ部材３のディスク挿入口４に対向する開口２を形成し、このシャーシ１の内部にガイド部材５の下面に近接する方向へ回動付勢されたローラブラケット６を配設すると共に、このローラブラケット６に一体形成された突出部６ａ上に緩衝部材８を固着し、１枚目のディスクＤのプレイ動作中に２枚目のディスクＤ１が誤挿入された場合、誤挿入されたディスクＤ１の挿入力によってプレイ中のディスクＤの外周側下面を緩衝部材８に押し付けることにより、プレイ中のディスクＤの回転を減速または停止するようにした。【選択図】  図３
2005085405.tif 000002
【特許請求の範囲】
【請求項１】
ディスク挿入口に対向する開口が形成されたシャーシと、このシャーシの内部に配設されたガイド部材と、このガイド部材の下面に近接する方向へ付勢されたローラブラケットと、このローラブラケットに回転可能に支持されたローラとを備え、前記ローラを回転駆動することにより、該ローラと前記ガイド部材との間に挟持されたディスクを自動搬送する車載用ディスクプレーヤのディスク搬送機構において、
前記ローラブラケットに緩衝部材を設け、任意のディスクが前記開口から前記シャーシの内部に装填されているとき、前記緩衝部材を該ディスクの外周側の下面に所定間隔を存して対向させたことを特徴とする車載用ディスクプレーヤのディスク搬送機構。
【請求項２】
請求項１の記載において、前記ローラブラケットに前記開口の幅方向中央部に向かって延びる突出部を形成し、この突出部の上面に前記緩衝部材を設けたことを特徴とする車載用ディスクプレーヤのディスク搬送機構。
【請求項３】
ディスク挿入口に対向する開口が形成されたシャーシと、このシャーシの内部に配設されたガイド部材と、このガイド部材の下面に近接する方向へ付勢されたローラブラケットと、このローラブラケットに回転可能に支持されたローラとを備え、前記ローラを回転駆動することにより、該ローラと前記ガイド部材との間に挟持されたディスクを自動搬送する車載用ディスクプレーヤのディスク搬送機構において、
前記シャーシに前記開口の少なくとも幅方向中央部を覆うように垂下する薄肉弾性体を設け、任意のディスクが前記開口から前記シャーシの内部に装填されているとき、前記薄肉弾性体を該ディスクの外周縁に所定間隔を存して対向させたことを特徴とする車載用ディスクプレーヤのディスク搬送機構。
【発明の詳細な説明】
【技術分野】
【０００１】
本発明は、ＣＤ（コンパクトディスク）やＤＶＤ（デジタルバーサタイルディスク）等のディスクに情報を記録および／または再生する車載用ディスクプレーヤのディスク搬送機構に係り、特に、ガイド部材との間にディスクを挟持したローラを回転駆動することにより該ディスクの搬入や搬出を行う車載用ディスクプレーヤのディスク搬送機構に関するものである。
【背景技術】
【０００２】
従来より、この種の車載用ディスクプレーヤのディスク搬送機構として、ローラを支持するローラブラケットに突起を形成し、ディスク再生時にこの突起をディスク挿入口の背面側に位置させることにより、２枚目のディスクの誤挿入を防止するようにしたものが知られている（例えば、特許文献１参照）。
【０００３】
図６はかかるディスク搬送機構の従来例を示す要部平面図、図７は該ディスク搬送機構のイジェクト状態を示す要部断面図、図８は該ディスク搬送機構のプレイ状態を示す要部断面図である。これらの図に示すように、ディスクプレーヤの外殻を形成するシャーシ１００の前面側には横長形状の開口１０１が形成されており、この開口１０１はノーズ部材１０２に開設されたディスク挿入口１０３と対向している。シャーシ１００の内部には上方位置にガイド部材１０４が配設されており、このガイド部材１０４の下方位置にはローラブラケット１０５が配設されている。このローラブラケット１０５は図示せぬドライブシャーシに回転可能に支持されており、図示せぬばね部材によってガイド部材１０４の下面に近接する方向へ弾性付勢されている。ローラブラケット１０５の一端側にはゴム製のローラ１０６が回転可能に支持されており、このローラ１０６は図示せぬモータを駆動源として正逆両方向へ回転駆動されるようになっている。また、ローラブラケット１０５の他端側には直角に折れ曲がる起立部１０５ａが形成されると共に、この起立部１０５ａの上端に突起１０７が形成されており、これら起立部１０５ａと突起１０７は開口１０１を通ってノーズ部材１０２の背面側に対向している。なお、前記ドライブシャーシには図示せぬターンテーブルや光ピックアップ等が搭載されており、このドライブシャーシはロック機構によりシャーシ１００に対してロック／アンロック状態に切り替えられるようになっている。
【０００４】
このように概略構成されたディスク搬送機構においては、図７に示すようにディスクＤがイジェクト状態にあるとき、前記ドライブシャーシはシャーシ１００に対してロック状態とされ、ローラブラケット１０５はばね部材の弾性付勢力を受けて傾斜状態に保持されている。これによりローラ１０６がガイド部材１０４の下面に近接すると共に、起立部１０５ａと突起１０７がディスク挿入口１０３よりも下方位置へ移動する。この状態でディスクＤをディスク挿入口１０３と開口１０１を通ってシャーシ１００の内部に挿入し、該ディスクＤをガイド部材１０４とローラ１０６との間で挟持した状態でローラ１０６を順方向（図７の矢印Ａ方向）へ回転駆動することにより、ディスクＤがイジェクト位置からプレイ位置へと挿入方向（矢印Ｘ１方向）に自動搬送される。
【０００５】
そしてディスクＤがプレイ位置まで搬送されると、図８に示すように、ローラブラケット１０５が反時計回り方向へ回動されて水平姿勢になることにより、ローラ１０６がディスクＤの回転を妨げないようにガイド部材１０４から離反すると共に、起立部１０５ａと突起１０７が上昇位置へ移動してディスク挿入口１０３に対向する。これによりユーザが誤って２枚目のディスクをディスク挿入口１０３から挿入しようとしても、該ディスクは突起１０７に邪魔されて開口１０１を通過できず、ディスクの２重挿入が突起１０７によって阻止されている。また、かかるプレイ位置でドライブシャーシはシャーシ１００に対してアンロック状態に切り替わって耐振モードとなり、ディスクＤのプレイ中に外部から振動や衝撃が加わっても音飛び等が発生しないようになる。
【０００６】
なお、ディスクＤがプレイ位置にある時にローラ１０６を逆方向（図７の矢印Ｂ方向）へ回転駆動することにより、ディスクＤがプレイ位置からイジェクト位置へと排出方向（矢印Ｘ２方向）に自動搬送されるため、このディスクＤをディスク挿入口１０３から取り出すことができる。
【特許文献１】特開平１１−８６３９９号公報（第２頁、図１）
【発明の開示】
【発明が解決しようとする課題】
【０００７】
前述した従来のディスク搬送機構においては、ディスクＤのプレイ中にローラブラケット１０５に設けた突起１０７をシャーシ１００の開口１０１とディスク挿入口１０３との間に位置させ、ディスク挿入口１０３から誤挿入された２枚目のディスクをこの突起１０７に突き当てることにより、該ディスクがシャーシ１００の開口１０１を通過して回転中のディスクＤに接触しないようになっているので、任意のディスクをプレイ中に他のディスクが２重挿入されて特にプレイ中のディスクが損傷するという事故を確実に防止できる。しかしながら、ローラブラケット１０５に設けた突起１０７を開口１０１とディスク挿入口１０３との間に位置させることで２枚目のディスクの挿入を阻止するようになっているので、ローラブラケット１０５の起立部１０５ａと突起１０７をシャーシ１００の開口１０１から外方へ突出させる必要があり、その分、メカニズムの外形寸法が大きくなって十分な防振クリアランスを確保できなくなるという課題があった。すなわち、プレイ中にドライブシャーシをアンロック状態にすることを考慮すると、ローラブラケット１０５の周囲には上下方向の振動を許容できる空間が必要となるが、上記のごとくローラブラケット１０５の突起１０７がシャーシ１００から突出していると、図８に示すように、突起１０７とノーズ部材１０２との間の防振クリアランスＣ２を必然的に小さくせざるを得ず、その結果、各部材に極めて高い寸法精度が要求されてコストアップを招来することとなる。
【０００８】
本発明は、このような従来技術の実情に鑑みてなされたもので、その目的は、十分な防振クリアランスを確保した上でプレイ中のディスクの損傷を防止することができる車載用ディスクプレーヤのディスク搬送機構を提供することにある。
【課題を解決するための手段】
【０００９】
本発明は、ディスクの２重挿入を阻止する２重挿入防止構造を採用するのではなく、任意のディスクがプレイ動作中に２枚目のディスクが誤挿入された際に、プレイ中のディスクの回転を緩衝部材または薄肉弾性体によって停止させるようにした。このような緩衝部材や薄肉弾性体はメカニズムの外形寸法の大型化を伴わないため、十分な防振クリアランスを確保した上でプレイ中のディスクの損傷を防止することができる。
【発明の効果】
【００１０】
本発明による車載用ディスクプレーヤのディスク搬送機構は、任意のディスクのプレイ動作中に２枚目のディスクが誤挿入された際に、プレイ中のディスクの回転を緩衝部材または薄肉弾性体によって停止させることができるので、十分な防振クリアランスを確保した上でプレイ中のディスクの損傷を防止することができる。
【発明を実施するための最良の形態】
【００１１】
上述した目的を達成するために、本発明は、ディスク挿入口に対向する開口が形成されたシャーシと、このシャーシの内部に配設されたガイド部材と、このガイド部材の下面に近接する方向へ付勢されたローラブラケットと、このローラブラケットに回転可能に支持されたローラとを備え、前記ローラを回転駆動することにより、該ローラと前記ガイド部材との間に挟持されたディスクを自動搬送する車載用ディスクプレーヤのディスク搬送機構において、前記ローラブラケットに緩衝部材を設け、任意のディスクが前記開口から前記シャーシの内部に装填されているとき、前記緩衝部材を該ディスクの外周側の下面に所定間隔を存して対向させた。
【００１２】
このように構成された車載用ディスクプレーヤのディスク搬送機構では、任意のディスクのプレイ動作中に２枚目のディスクが誤挿入されると、誤挿入されたディスクによってプレイ中のディスクの外周側下面が緩衝部材に押し付けられて回転停止するため、十分な防振クリアランスを確保した上でプレイ中のディスクの損傷を防止することができる。この場合、ローラブラケットに開口の幅方向中央部に向かって延びる突出部を形成し、この突出部の上面に緩衝部材を設けることが好ましい。
【００１３】
また、上述した目的を達成するために、本発明は、ディスク挿入口に対向する開口が形成されたシャーシと、このシャーシの内部に配設されたガイド部材と、このガイド部材の下面に近接する方向へ付勢されたローラブラケットと、このローラブラケットに回転可能に支持されたローラとを備え、前記ローラを回転駆動することにより、該ローラと前記ガイド部材との間に挟持されたディスクを自動搬送する車載用ディスクプレーヤのディスク搬送機構において、前記シャーシに前記開口の少なくとも幅方向中央部を覆うように垂下する薄肉弾性体を設け、任意のディスクが前記開口から前記シャーシの内部に装填されているとき、前記薄肉弾性体を該ディスクの外周縁に所定間隔を存して対向させた。
【００１４】
このように構成された車載用ディスクプレーヤのディスク搬送機構では、任意のディスクのプレイ動作中に２枚目のディスクが誤挿入されると、開口の中央部に垂下する薄肉弾性体が誤挿入されたディスクによってプレイ中のディスクの外周縁に押し付けられ、プレイ中のディスクの回転が停止するため、十分な防振クリアランスを確保した上でプレイ中のディスクの損傷を防止することができる。
【実施例】
【００１５】
実施例について図面を参照して説明すると、図１は本発明の第１実施例に係る車載用ディスクプレーヤのディスク搬送機構の要部平面図、図２は該ディスク搬送機構のイジェクト状態を示す要部断面図、図３は該ディスク搬送機構のプレイ状態を示す要部断面図である。
【００１６】
これらの図において、符号１はディスクプレーヤの外殻を形成する箱形のシャーシであり、このシャーシ１の前面側には横長形状の開口２が形成されている。シャーシ１の前面側は車内のインパネ等に露出するノーズ部材（前面パネル）３によって覆われており、シャーシ１の開口２はノーズ部材３に開設されたディスク挿入口４と防振クリアランスＣ１を介して対向している。
【００１７】
シャーシ１の内部には上方位置にガイド部材５が配設されており、このガイド部材５の下方位置にはローラブラケット６が配設されている。このローラブラケット６は図示せぬドライブシャーシに回転可能に支持されており、図示せぬばね部材によってガイド部材５の下面に近接する方向へ弾性付勢されている。ローラブラケット６の一端側にはゴム製のローラ７が回転可能に支持されており、このローラ７は図示せぬモータを駆動源として正逆両方向へ回転駆動されるようになっている。また、ローラブラケット６の他端側には突出部６ａが一体形成されており、この突出部６ａはシャーシ１の内側に位置して開口２の幅方向中央部と対向している。突出部６ａの上面には緩衝部材８が固着されており、この緩衝部材８はネオプレンゴム等の耐摩擦性に優れた弾性体からなる。なお、前記ドライブシャーシには図示せぬターンテーブルや光ピックアップ等が搭載されており、このドライブシャーシはロック機構によりシャーシ１に対してロック／アンロック状態に切り替えられるようになっている。
【００１８】
このように概略構成されたディスク搬送機構においては、図２に示すようにディスクＤがイジェクト状態にあるとき、前記ドライブシャーシはシャーシ１に対してロック状態とされ、ローラブラケット６はばね部材の弾性付勢力を受けて傾斜状態に保持されている。これによりローラ７がガイド部材５の下面に近接すると共に、突出部６ａと緩衝部材８が開口２よりも下方位置へ移動する。この状態でディスクＤをディスク挿入口４と開口２を通ってシャーシ１の内部に挿入し、該ディスクＤをガイド部材５とローラ７との間で挟持した状態でローラ７を順方向（図２の矢印Ａ方向）へ回転駆動することにより、ディスクＤがイジェクト位置からプレイ位置へと挿入方向（矢印Ｘ１方向）に自動搬送される。
【００１９】
そしてディスクＤが前記ターンテーブルに装着されるプレイ位置まで搬送されると、図３に示すように、ローラブラケット６が反時計回り方向へ回動されて水平姿勢となるため、ローラ７がガイド部材５から離反すると共に、突出部６ａに固着された緩衝部材８が上昇してディスクＤの外周側下面に所定間隔を存して対向し、ドライブシャーシもロック状態からアンロック状態に切り替わってプレイ状態となる。このプレイ状態で図示せぬスピンドルモータが回転駆動されると、ターンテーブルとディスクＤが一体的に回転し、光ピックアップによってディスクＤに対する情報の記録および／または再生が行われる。
【００２０】
また、このように任意のディスクＤをプレイ動作中に、ユーザが誤って２枚目のディスクＤ１をディスク挿入口４から開口２の内部に挿入すると、誤挿入されたディスクＤ１の挿入力によってプレイ中のディスクＤが下方へ押圧され、該ディスクＤの外周側下面が緩衝部材８に押し付けられる。その結果、プレイ中のディスクＤの回転数が規定レベル以下まで減速し、または停止し、図示せぬ制御回路がこれを異常作業と判断してスピンドルモータの回転を制御することにより、プレイ中のディスクＤの回転駆動動作が停止するため、プレイ中のディスクＤと誤挿入された２枚目のディスクＤ１の双方の損傷が防止される。
【００２１】
なお、ディスクＤがプレイ位置にある時にローラ７を逆方向（図３の矢印Ｂ方向）へ回転駆動することにより、ディスクＤがプレイ位置からイジェクト位置へと排出方向（矢印Ｘ２方向）に自動搬送されるため、このディスクＤをディスク挿入口４から取り出すことができる。
【００２２】
このように上記第１実施例では、１枚目のディスクＤのプレイ動作中に２枚目のディスクＤ１が誤挿入された場合、誤挿入されたディスクＤ１の挿入力によってプレイ中のディスクＤの外周側下面をローラブラケット６に固着された緩衝部材８に押し付けることにより、プレイ中のディスクＤの回転を大幅に減速し、または停止するようにしたので、高速で回転するプレイ中のディスクＤに２枚目のディスクＤ１が摺接し続けることはなく、プレイ中のディスクＤのレーベル面（上面）および記録面（下面）の損傷を防止することができ、誤挿入された２枚目のディスクＤ１の損傷も防止できる。また、緩衝部材８はプレイ中のディスクＤの外周側下面に所定間隔を存して対向していれば良く、緩衝部材８を含めてローラブラケット６全体をシャーシ１の内部に配置することができるため、緩衝部材８の追加によってメカニズムの外形寸法は拡大せず、図３に示すように、シャーシ１の前面側とノーズ部材３との間に十分に大きな防振クリアランスＣ１を確保することができる。なお、上記緩衝部材８の数および形状は特に限定されるものではないが、プレイ中のディスクＤのプログラムエリアよりも外側の外周縁部に対向していることが好ましい。
【００２３】
図４は本発明の第２実施例に係る車載用ディスクプレーヤのディスク搬送機構のプレイ状態を示す要部断面図、図５は該ディスク搬送機構のプレイ中に２枚目のディスクが挿入された状態を示す要部断面図であり、図１〜図３に対応する部分には同一符号を付してある。
【００２４】
本実施例が上述した第１実施例と相違する点は、シャーシ１の前面側における開口２の幅方向（紙面と直交する方向）中央部に、この開口２を部分的に覆うように垂下する帯状の薄肉弾性体９を取り付け、１枚目のディスクＤのプレイ動作中に２枚目のディスクＤ１が誤挿入されたとき、緩衝部材８の代わりに薄肉弾性体９によってプレイ中のディスクＤの回転を減速または停止するようにしたことにあり、それ以外の構成は基本的に同じである。この薄肉弾性体９はネオプレンゴム等の耐摩擦性に優れた材料からなり、ディスクＤがイジェクト状態にあるとき、薄肉弾性体９は開口２の上端側から垂れ下がってディスク挿入口４の幅方向中央部に対向している。そして任意のディスクＤをディスク挿入口４から開口２に挿入すると、このディスクＤは薄肉弾性体９をくぐり抜けて（すなわち、薄肉弾性体９の下端側がシャーシ１の内部側に撓むことにより）プレイ位置へと自動搬送され、図４に示すようにディスクＤがプレイ位置へ搬送された時点で、薄肉弾性体９は元の状態に戻ってディスクＤの外周縁と所定間隔を存して対向する。
【００２５】
また、ディスクＤのプレイ動作中にユーザが誤って２枚目のディスクＤ１をディスク挿入口４から挿入すると、図５に示すように、誤挿入されたディスクＤ１に押圧されて薄肉弾性体９がシャーシ１の内部側に撓み、薄肉弾性体９の下端部がプレイ中のディスクＤの外周縁に押し付けられる。その結果、プレイ中のディスクＤの回転数が規定レベル以下まで減速し、または停止し、図示せぬ制御回路がこれを異常作業と判断してスピンドルモータの回転を制御することにより、プレイ中のディスクＤの回転駆動動作が停止するため、プレイ中のディスクＤと誤挿入された２枚目のディスクＤ１の双方の損傷が防止される。なお、薄肉弾性体９は少なくとも開口２の幅方向中央部に配設されていれば良いが、開口２を全体的に覆う長尺のものであっても良い。
【００２６】
このように上記第２実施例では、１枚目のディスクＤのプレイ動作中に２枚目のディスクＤ１が誤挿入された場合、誤挿入されたディスクＤ１の挿入力によってプレイ中のディスクＤの外周縁に薄肉弾性体９を押し付けることにより、プレイ中のディスクＤの回転を大幅に減速し、または停止するようにしたので、プレイ中のディスクＤのレーベル面および記録面の損傷を防止することができ、誤挿入された２枚目のディスクＤ１の損傷も防止できる。また、薄肉弾性体９は開口２内に垂れ下がるようにシャーシ１の前面側にその上端側を固着すれば良く、薄肉弾性体９の追加によってメカニズムの外形寸法がさほど拡大する訳ではないので、図４に示すように、シャーシ１の前面側においてプレイ中のディスクＤとノーズ部材３との間に十分に大きな防振クリアランスＣ１を確保することができる。
【図面の簡単な説明】
【００２７】
【図１】本発明の第１実施例に係る車載用ディスクプレーヤのディスク搬送機構の要部平面図である。
【図２】該ディスク搬送機構のイジェクト状態を示す要部断面図である。
【図３】該ディスク搬送機構のプレイ状態を示す要部断面図である。
【図４】本発明の第２実施例に係る車載用ディスクプレーヤのディスク搬送機構のプレイ状態を示す要部断面図である。
【図５】該ディスク搬送機構のプレイ中に２枚目のディスクが挿入された状態を示す要部断面図である。
【図６】従来例に係るディスク搬送機構の要部平面図である。
【図７】該ディスク搬送機構のプレイ状態を示す要部断面図である。
【図８】該ディスク搬送機構のプレイ状態を示す要部断面図である。
【符号の説明】
【００２８】
１  シャーシ
２  開口
３  ノーズ部材
４  ディスク挿入口
５  ガイド部材
６  ローラブラケット
６ａ  突出部
７  ローラ
８  緩衝部材
９  薄肉弾性体
【図１】
2005085405.tif 000003
【図２】
2005085405.tif 000004
【図３】
2005085405.tif 000005
【図４】
2005085405.tif 000006
【図５】
2005085405.tif 000007
【図６】
2005085405.tif 000008
【図７】
2005085405.tif 000009
【図８】
2005085405.tif 000010